(57)【要約】【課題】表示部に入力手段を持つ情報機器の表示部を回動して入力手段を表に出して畳み込む過程で入力手段に手を触れることによる誤入力を防ぐことができる情報機器を提供する。【解決手段】収納状態から、または図１（ａ）の使用状態から第１の回動軸３を中心に図（ｂ）の状態になるよう第１の回動を行うとクリックで中立位置になるとともに検出スイッチがオンとなり、タッチパネル４からの入力が無効となる。表示部２を第２の回動軸６を中心に矢印Ｂ方向に第２の回動を行う間と、１８０度回動して表示部が裏返るまで無効状態で、この状態から図（ｅ）状態まで第３の回動の間、所定時間はタッチパネル４の入力が無効状態のままとなるので、タッチパネルへの意図しない接触による誤入力を防ぐことができる。【選択図】  図１
2004310658.tif 000002
【特許請求の範囲】
【請求項１】
本体と、
表示面に入力手段を持つ表示部とを備え、
前記表示部は前記本体の一辺に沿った第１の回動軸と前記第１の回動軸に直交しかつ前記表示部の表示面に平行な第２の回動軸とを有し、
前記表示部は前記第１の回動軸を中心に本体に対して略９０度の中立点に達する第１の回動の後、前記第１の回動の中立点において前記第２の回動軸を中心に１８０度の第２の回動が可能であり、かつこの第２の回動終了後に前記表示部を前記本体方向へ接近させる第３の回動が可能であり、
前記第１の回動の中立点において前記表示部の入力手段の入力を無効とすることを特徴とする情報機器。
【請求項２】
前記表示部が第１の回動軸を中心に中立点を離れて回動を開始した後の所定の時間は前記入力手段の入力無効にすることを特徴とする請求項１記載の情報機器。
【請求項３】
前記表示部の中立点でクリック感を有することを特徴とする請求項１または２記載の情報機器。
【請求項４】
本体と、
表示面に入力手段を持つ表示部とを備え、
前記表示部は前記本体の一辺に沿った第１の回動軸と前記第１の回動軸に直交しかつ前記表示部の表示面に平行な第２の回動軸とを有し、
前記表示部は前記第１の回動軸を中心に本体に対して略９０度の中立点に達する第１の回動の後、前記第１の回動の中立点において前記第２の回動軸を中心に１８０度の第２の回動が可能であり、かつこの第２の回動終了後に前記表示部を前記本体方向へ接近させる第３の回動が可能であり、
前記第２の回動の開始点及び終了点およびその点を離れてから所定時間の間は前記表示部の入力手段の入力を無効とすることを特徴とする情報機器。
【請求項５】
前記表示部の中立点、および第２の回動の開始点及び終了点でクリック感をそれぞれ有することを特徴とする請求項１、２、４、及び５のいずれか１項に記載の情報機器。
【発明の詳細な説明】
【０００１】
【発明の属する技術分野】
本発明は表示部に入力手段を有し、表示部と本体とが一体に結合して表示部を開いて操作を行うノート形パーソナルコンピュータなどの情報機器に関する。
【０００２】
【従来の技術】
近年、表示部と本体とが一体に結合して表示部を開いて操作を行うノート形パーソナルコンピュータ（以下ノートパソコンと略称）などの情報機器が盛んに用いられている。さらに最近では表示画面に入力手段を有し、この入力手段でも入力できるものが用いられている。このような形態のものにおいて、さらに表示部を回動させて、いわば表示部を裏返しにして、表示部を本体に接近させた場合でも表示部を表に出し、表示部表面の入力手段から入力できるようにしたものも現れている。
【０００３】
このように表示部を回動させる場合、最近は表示部の縁が細いものが多く、回動のために力を入れたときに表示部の入力手段に触れてしまい、誤入力となる恐れがあった。
【０００４】
この誤入力を防ぐには表示部が回動中には入力を無効にすればよいが、従来の技術で表示部の開閉に関して入力を防止するものとしては、たとえば特許文献１に記載されたものが知られている。実開平３−７４０３１号公報（特許文献１）は、その第２図においてディスプレイ部分２２がキーボード１５方向に所定角度折り畳まれた場合に部材２３がセンサ２５に触れて検知され、キーボード２５からのキー入力を禁止するというものである。
【０００５】
【特許文献１】
実開平３−７４０３１号公報（第１頁、第２図、第３図）
【０００６】
【発明が解決しようとする課題】
しかしながら、上記特許文献１のものは、ディスプレイ部分がほとんど閉じるときにキーボードの入力を禁止するものであり、これはディスプレイ部とキーボードとの間に異物が挟まったときなどには有効であるが、ディスプレイ部分が開いていたり、さらに別の回動軸によってディスプレイ部分を裏返しにする途中で入力を禁止するものではなかった。
【０００７】
本発明は、表示部を第１の回動軸によって所定角まで開いたところから、さらに第２の回動軸によって表示部を裏返しするまでの間において表示部にうっかり触れることによる誤入力を防止できる情報機器を提供することを目的とする。
【０００８】
【課題を解決するための手段】
上記課題を達成するための本発明の情報機器は、本体と、表示面に入力手段を持つ表示部とを備え、前記表示部は前記本体の一辺に沿った第１の回動軸と前記第１の回動軸に直交しかつ前記表示部の表示面に平行な第２の回動軸とを有し、前記表示部は前記第１の回動軸を中心に本体に対して略９０度の中立点に達する第１の回動の後、前記第１の回動の中立点において前記第２の回動軸を中心に１８０度の第２の回動が可能であり、かつこの第２の回動終了後に前記表示部を前記本体方向へ接近させる第３の回動が可能であり、前記第１の回動の中立点において前記表示部の入力手段の入力を無効とする構成となっている。
【０００９】
このような構成によって表示部を中立点まで開けば、そこで表示部の入力手段が無効となり、この無効状態のまま第２の回動軸を中心に表示部を１８０度回動して裏返しとし、この状態までは入力手段が無効であるため、その間の表示部への接触による誤入力を防ぐように作用する。
【００１０】
またこの基本の構成において、前記表示部が第１の回動軸を中心に中立点を離れて回動を開始した後の所定の時間は前記入力手段の入力無効にする構成にすることも可能であり、これによって第３の回動によって表示部を表面に出した状態まで折り畳む間にも誤入力を防ぐように作用する。
【００１１】
また本発明の情報機器は、本体と、表示面に入力手段を持つ表示部とを備え、前記表示部は前記本体の一辺に沿った第１の回動軸と前記第１の回動軸に直交しかつ前記表示部の表示面に平行な第２の回動軸とを有し、前記表示部は前記第１の回動軸を中心に本体に対して略９０度の中立点に達する第１の回動の後、前記第１の回動の中立点において前記第２の回動軸を中心に１８０度の第２の回動が可能であり、かつこの第２の回動終了後に前記表示部を前記本体方向へ接近させる第３の回動が可能であり、前記第２の回動の開始点及び終了点およびその点を離れてから所定時間の間は前記表示部の入力手段の入力を無効とする構成である。
【００１２】
この構成によって、表示部が前記中立点に達してから前記第２の回動の開始点及び終了点およびその点を離れてから所定時間の間は前記表示部の入力手段の入力を無効とするため、第２の回動と第３の回動による折り畳みの間の大部分は入力手段が無効であり、入力手段に触れても誤入力とはならないように作用する。
【００１３】
【発明の実施の形態】
（実施の形態１）
以下、図面に基づいて本発明の実施の形態１における情報機器を説明する。図１は本発明の実施の形態１における情報機器の使用形態を説明する斜視図、図２は同じくその回動機構の要部説明図、図３は同じく入力回路ブロック図である。ここでは表示部に入力手段を有するノート形パーソナルコンピュータ（以下ノートパソコンと略称）について説明する。
【００１４】
図１（ａ）はノートパソコンを通常開いて使用する状態を示し、本体１に対して表示部２を、本体１の一辺に沿った第１の回動軸３により矢印Ａ方向に約１１０度から１２０度ぐらいの角度に開いてキーボード１ａから画面を見ながら入力する。この表示部２には表面にタッチパネル４を装着した液晶表示部５が設けられ、入力専用ペン、または指でタッチパネル４に直接入力することが可能である。
【００１５】
また、図１（ｂ）に示すように表示部２には、第１の回動軸３に対して直交し、かつ表示部２の表示面に平行な第２の回動軸６を中心に回動が可能となっており、図１（ｃ）、（ｄ）のように矢印Ｂ方向に１８０度回動することができる。
【００１６】
本実施形態では、本体１上に表示部２の表示面が接近し重なり合った収納状態（図示せず）か、または図１（ａ）の使用状態から、図１（ｂ）のように表示部２を本体１に対して回動軸３を中心に略９０度の中立点に回動させる（第１の回動）と、そこでクリック感があって表示部２の回動が一旦停止する。ここを中立点と定義する。
【００１７】
この中立点に達した表示部２は第１の回動軸３に対して直交し、かつ表示部２の面に平行な第２の回動軸６は直交しており、この回動軸６を中心に回動が可能となり、手で押さえてやれば図１（ｃ）、（ｄ）のように矢印Ｂ方向に１８０度回動する。
【００１８】
１８０度の回動が終わると、表示部２のタッチパネル４を装着した液晶表示部５は図１（ｂ）と反対に向こう向きとなり、その状態から第１の回動軸３を中心に矢印Ｃ方向へ第３の回動が可能となる。この第３の回動が終わった状態を図１（ｅ）に示す。タッチパネル４を表面に装着した液晶表示部５が表面を向いており、この状態でタッチパネル４へ入力することができる。
【００１９】
図２において、（ａ）は回動機構の平面図、（ｂ）は一部断面を含む側面図で、（ｃ）はカム板Ｂの部分図を示す。図１の本体１に取り付けるための基板１１には、軸１２ａを一体に形成した座金１２がかしめなどで取り付けられ、この軸１２ａによって軸受けＡ１３とかしめなどで一体化したコの字形状のアーム１４が回動自在に取り付けられ、軸１２ａの先端にはカム板Ａ１５が、その中心孔１５ａによって固く嵌合されていてアーム１４が脱落しないようになっている。カム板Ａ１５のカム部１５ｂ、１５ｃはアーム１４の突起１４ｃに係合することによってアーム１４の回動を図（ａ）の図示位置から時計方向へ１８０度の範囲に制限する。
【００２０】
アーム１４の直角に折り曲がった両翼部１４ａ、１４ｂには、それぞれ軸受けＢ１６、軸受けＣ１７がかしめなどで固定され、それぞれに表示部取り付け金具１８、１９の軸１８ａ、１９ａが貫通され、軸１８ａにはカム板Ｂ２０の孔２０ａが、軸１９ａには抜け止め板２１の孔２１ａが固く嵌合されて、表示板取り付け金具１８、１９が回動自在に保持されている。それぞれの孔１８ｂ、１９ｂには表示部２が固定されるようになっている。軸１８ａ、軸１９ａは、軸１２ａと直交するように構成されている。
【００２１】
さらに図２（ｃ）のようにカム板Ｂ２０の全周の一部には突出部２０ｂがあり、これはアーム１４に固定されたばね２１の凹部２１ａと係合したときにクリック感を与えるものである。そしてカム板Ｂ２０の外周側面にはピン２２が埴設されていて、検出スイッチ２３のアクチュエータ２３ａと当接するようになっている。
【００２２】
上記の回動機構を本体１に取り付ける際、軸１８ａ、１９ａを本体１の一辺に平行になるように設置して第１の回動軸とし、それと直交する軸１２ａを第２の回動軸とする。
【００２３】
図３においてタッチパネル４からの入力は常時は開いているゲート回路３１を通って制御回路３２に入力される。検出スイッチ２３の入力はゲート回路３１に加えられ、検出スイッチ２３のオンのときにゲート回路３１は閉じられてタッチパネル４の出力は制御回路３２へ入力されないものとする。
【００２４】
以上のように構成された本実施形態の情報機器の動作を以下に説明する。通常の使用状態では図１（ａ）のような角度になるように表示部２を開き、キーボード１ａおよびタッチパネル４から入力する。この情報機器での別の使用形態として図１（ｅ）のようにタッチパネル４のみを表面に出し、それを使って入力することができるので、以下、主としてそのような形を準備する場合の動作について説明する。
【００２５】
まず、収納状態から表示部２を開き、または図１（ａ）の使用状態から図１（ｂ）のように表示部２が垂直（本体１に対して略９０度）にしたとき（いずれも第１の回動）にカム板Ｂ２０の突出部２０ｂがばね２１の凹部２１ａと係合してクリック感を伴って停止する。このとき第２の回動軸に一致する軸１２ａは垂直になっている。同時にピン２２は検出スイッチ２３のアクチュエータ２３ａを押圧しているので、検出スイッチ２３はオンとなり、ゲート回路３１は閉じられてタッチパネル４からの入力は制御回路３２に入力されない。このため表示部２を回動させようとする手が、誤ってタッチパネル４の面に触れても誤入力することがない。
【００２６】
この状態で表示部２を持って図１（ｃ）の矢印Ｂのように回動させる。回動させている間も表示部２の表面は垂直のままなのでピン２２は検出スイッチ２３のアクチュエータ２３ａを押圧したままで、タッチパネル４の出力は制御回路３２に入らない。表示部２の軸１２ａに対する回動がカム１５ｃと突起１４ｃとの係合により終了して、ついで表示部２を図１（ｅ）のように折り畳もうとしたときにピン２２が係合していたアクチュエータ２３ａから離れてタッチパネル４の出力をゲート回路３１が制御回路３２への入力を認めることによってタッチパネル入力が可能となる。
【００２７】
以上のように本実施形態では、表示部２が第１の回動軸によって垂直になったときを検出する検出スイッチを設けたことにより、表示部を垂直にして、第２の回動軸周りに表示部を１８０度回動させる間、タッチパネルからの入力を無効とすることができ、タッチパネルの第２の回動軸まわりの回動中に誤ってタッチパネル面に触れても誤入力となることがない。
【００２８】
なお、上記表示部の中立点でクリック感を与えるのと同様な方法で第２の回動の開始点及び終了点でクリック感をそれぞれ与えることができる。
【００２９】
また、上記のゲート回路３１に、検出スイッチ２３がオンからオフになったときに動作を所定時間遅延する遅延手段を設けて、たとえば０．５秒の遅延を与えれば、表示部を裏返してから図１（ｅ）の位置へ持ち来す間、または図１（ｂ）の位置から図１（ａ）の位置へ持ち来す間などに、操作の途中でタッチパネルに触れることによる誤入力を防ぐことができる。
【００３０】
（実施の形態２）
以下、図面に基づいて本発明の実施の形態２における情報機器を説明する。図４は本発明の実施の形態２における情報機器の使用形態を説明する斜視図、図５は同じくその入力回路ブロック図である。
【００３１】
図４において、本体４１に対して表示部４２を、本体４１の一辺に沿った第１の回動軸４３により矢印Ａ方向に垂直に立った状態で、かつ第１の回動軸に対して直交する第２の回動軸４４に対して矢印Ｂ方向に少し回動した状態を示し、表示部４２には表面にタッチパネル４５を装着した液晶表示部４６が設けられ、表示部４２の下方の一端には磁石４７が埋設され、本体４１の対応する位置には、たとえばリードスイッチのような磁気検出センサ４８、４９が埋設されている。
【００３２】
図５においてタッチパネル４５の出力はゲート回路５１を介して制御回路５２に入力されている。ゲート回路５１には遅延機能があり、磁気検出センサ４８、４９がオンになると共にゲートが閉じてタッチパネル４５の出力を制御回路５２へ与えないと共に、磁気検出センサ４８、４９がオフになっても所定時間、たとえば０．５秒間はこの状態を保持する。
【００３３】
このように構成され、つぎにその動作を説明する。まず、収納状態から表示部４２を第１の軸４３を中心に矢印Ａ方向に垂直になるまで開き、または図１（ａ）のような使用状態から表示部４２が垂直になる状態に戻した中立点において、実施の形態１と同じような方法でクリック感を伴って停止する。このとき磁石４７は磁気検出センサ４８に近接するので、磁気検出センサ４８はオンとなり、ゲート回路５１は閉じられ、タッチパネル４５の出力は制御回路５２に入力されない。この状態で第２の軸４４を中心に表示部４２を回動する。磁石４７は磁気検出センサ４８から離れるが、ゲート回路５１の遅延機能によって所定時間（たとえば０．５秒）はゲートが閉じているので、この間にタッチパネル４５に誤って触れても誤入力とはならない。１８０度の回動が終わると、磁石４７は磁気検出センサ４９に近接するので、この状態から図１（ｅ）の状態に折り畳むまでの第３の回動の間はゲート回路５１の遅延機能によって、この間にタッチパネル４５に誤って触れても誤入力とはならない。
【００３４】
このように本実施形態では、第１の回動軸によって表示部が垂直になる状態において、第２の回動軸を中心に表示部を回動でき、その回動の開始点と終了点において検出スイッチを動作させ、この検出スイッチのオン時、およびオフになってから所定時間の間はタッチパネル出力を無効にすることによって、その間のタッチパネルへの誤入力を避けることができる。
【００３５】
なお、本実施形態においても、表示部の中立点でクリック感を与えることができ、それと同様な方法で第２の回動の開始点及び終了点でクリック感をそれぞれ与えることができる。
【００３６】
なお、以上の各実施形態ではノートパソコンの例を示したが、これに限らず、表示部に入力手段を備え、表示部を回動させて表示の仕方を変える各種の情報機器に適用することができる。
【００３７】
また、以上の各実施形態において、数値等は一例であり、また構造上の細部は請求の範囲内で変更して実施することが可能である。
【００３８】
【発明の効果】
以上説明したように本発明の情報機器によれば、入力手段を持った表示部を備え、表示部を第１の回動軸と第２の回動軸によって回動させ、入力手段を持った表示部を表面に出して折り畳んで使用することが可能な情報機器において、上記折り畳みの過程において入力手段への不本意な接触による誤入力を極力減らすことができる有用な発明である。
【図面の簡単な説明】
【図１】本発明の実施の形態に係る情報機器の使用形態を説明する斜視図
【図２】同じくその回動機構の要部説明図
【図３】同じく入力回路ブロック図
【図４】本発明の他の実施形態に係る情報機器の使用形態を説明する斜視図
【図５】同じくその入力回路ブロック図
【符号の説明】
１，４１  本体
２，４２  表示部
３，４３  第１の回動軸
４，４５  タッチパネル
５，４６  液晶表示部
６，４４  第２の回動軸
１１  基板
１２ａ  軸
１３  軸受けＡ
１４  アーム
１４ｃ  アーム１４の突起
１５  カム板Ａ
１５ｂ，１５ｃ  カム板Ａ１５のカム
１６  軸受けＢ
１７  軸受けＣ
１８ａ，１９ａ  軸
２０  カム板Ｂ
２０ｂ  カム板Ｂ２０の突出部
２１  ばね
２１ａ  ばね２１の凹所
２２  ピン
３１，５１  ゲート回路
３２，５１  制御回路
１７  磁石
４８，４９  磁気検出センサ
【図１】
2004310658.tif 000003
【図２】
2004310658.tif 000004
【図３】
2004310658.tif 000005
【図４】
2004310658.tif 000006
【図５】
2004310658.tif 000007